(57)【要約】【課題】  拭布の厚さに応じてワイパーヘッドの両面を良好に使い分けて清掃することができる、機能性に勝れた反転式のフローリングワイパーを得る。【解決手段】  厚さの異なる拭布を選択的に装着するための第１装着面６と第２装着面７とを上下両面に有する矩形盤状のワイパーヘッド３、及び、このワイパーヘッド３に上記第１装着面６側と第２装着面７側とに起倒自在なるように連結された柄４を有し、上記第１装着面６には、クッション性を付与するためのスポンジ体１５が貼着され、上記第２装着面７には、上記拭布に係止する複数の固定用突起２０が形成されると共に、上記拭布の一部を挿入して固定するための複数の鰐口１６が形成されている。【選択図】        図１
2005287698.tif 000002
【特許請求の範囲】
【請求項１】
厚さの異なる拭布を選択的に装着するための第１装着面と第２装着面とを上下両面に有する矩形盤状のワイパーヘッド、このワイパーヘッドに上記第１装着面側と第２装着面側とに起倒自在なるように連結された柄、を有し、
上記第１装着面には、クッション性を付与するためのスポンジ体が貼着され、
上記第２装着面には、上記拭布に係止する複数の固定用突起が形成されると共に、上記拭布の一部を挿入して固定するための複数の鰐口が形成されている、
ことを特徴とする反転式フローリングワイパー。
【請求項２】
上記第１装着面には厚さの薄い第１拭布が、その両端部を上記鰐口に挿入するか又は上記突起に係止させることにより固定され、上記第２装着面には厚さの厚い第２拭布が、上記突起に係止させることにより固定されることを特徴とする請求項１に記載のフローリングワイパー。
【請求項３】
上記突起が鈎形をした先端部を有しており、また、上記拭布が、この突起の先端部に係止するループ状の繊維を有していることを特徴とする請求項１又は２に記載のフローリングワイパー。
【請求項４】
上記ワイパーヘッドの中央部には、幅方向の一側端から中間位置まで延びる取付溝が形成されていて、この取付溝内に上記柄が、上記第１装着面側と第２装着面側とに回動自在なるように連結され、かつ、上記ワイパーヘッドの厚さが柄の直径と同等以上であることを特徴とする請求項１から３の何れかに記載のフローリングワイパー。
【発明の詳細な説明】
【技術分野】
【０００１】
本発明は、ワイパーヘッドに拭布を装着して床などの清掃を行うフローリングワイパーに関するものであり、更に詳しくは、拭布に応じて両面を使い分けられるようにした反転式のフローリングワイパーに関するものである。
【背景技術】
【０００２】
払掃用の拭布をヘッドに装着して床などの清掃を行うフローリングワイパーは、従来より各種構成ものが提案されている。また、上記拭布の厚さにも色々あって、１〜３ｍｍ程度の厚さを持つ薄いシート状のものから、５〜１５ｍｍ程度の厚さを持つパッド状のものまで、様々な厚さのものが使用され、それらが清掃条件に応じて使い分けられている。このように薄い拭布と厚い拭布とでは、クッション性やボリュームなどに違いがあるため、通常は、それらを同じワイパーに装着して使用することができない。
【０００３】
例えば、厚さの薄いシート状をした拭布の場合には、それ自体が殆どクッション性を持っていないため、ワイパーヘッドにクッション用のスポンジ体を取り付けておくことが必要であるが、厚さの厚いパッド状の拭布の場合には、それ自体にクッション性が備わっているため、ワイパーヘッドにスポンジ体を取り付ける必要がないからである。また、拭布をワイパーヘッドに固定する場合でも、薄い拭布の場合は、ボリュームが小さく局部的な変形が自在であるため、ワイパーヘッドに複数の切れ目を交叉状に入れた「鰐口」と呼ばれる係止孔を形成し、この鰐口に拭布の一部を差し込んで係止させることで該拭布を固定するようにしているが、厚手の拭布の場合には、ボリュームがあるため、上述したような鰐口の中に部分的に挿入させることができず、薄い拭布の場合と同じ係止手段を使用することができないということもある。そのためこれまでは、拭布の厚さに応じて異なる構造のワイパーを用意し、それらを使い分ける必要があった。
【０００４】
一方、特許文献１及び２には、ワイパーヘッドの両面を拭布の装着面として使用することができる反転式の清掃具（ワイパー）が開示されている。この清掃具は、一方の装着面に拭布を装着し、この拭布の一端はワイパーヘッドの前端部に固定しておき、その状態で清掃を行って拭布の片面が汚れると、上記拭布を他方の装着面側に反転させて裏面側を露出させると共に、ワイパーヘッドも上下反転させ、今度は拭布の裏面を使って清掃するもので、拭布の表裏両面を清掃に使用できるようにしたものである。従って、上記ワイパーヘッドの両面の装着面は全く同じ構造であり、拭布の厚さに応じて両面を使い分けるものではない。
【特許文献１】特開平７−２５５６５９号公報
【特許文献２】特開平９−１７３２６５号公報
【発明の開示】
【発明が解決しようとする課題】
【０００５】
本発明の課題は、拭布の厚さに応じてワイパーヘッドの両面を使い分けて清掃することができる、機能性に勝れた反転式のフローリングワイパーを提供することにある。
【課題を解決するための手段】
【０００６】
上記課題を解決するため、本発明のフローリングワイパーは、厚さの異なる拭布を選択的に装着するための第１装着面と第２装着面とを上下両面に有する矩形盤状のワイパーヘッド、該ワイパーヘッドに上記第１装着面側と第２装着面側とに起倒自在なるように連結された柄を有し、上記第１装着面には、クッション性を付与するためのスポンジ体が貼着され、上記第２装着面には、上記拭布に係止する複数の固定用突起が形成されると共に、上記拭布の一部を挿入して固定するための複数の鰐口が形成されていることを特徴とするものである。
【０００７】
本発明おいては、上記第１装着面には厚さの薄い第１拭布が、その両端部を上記鰐口に挿入するか又は上記突起に係止させることにより固定され、上記第２装着面には厚さの厚い第２拭布が、上記突起に係止させることにより固定される。
【０００８】
本発明の具体的な例では、上記突起が鈎形をした先端部を有しており、また、上記拭布が、この突起の先端部に係止するループ状の繊維を有している。
【０００９】
本発明の他の具体例によると、上記ワイパーヘッドの中央部には、幅方向の一側端から中間位置まで延びる取付溝が形成されていて、この取付溝内に上記柄が、上記第１装着面側と第２装着面側とに回動自在なるように連結され、かつ、上記ワイパーヘッドの厚さが柄の直径と同等以上である。
【発明の効果】
【００１０】
本発明によれば、ワイパーヘッドの第１装着面にクッション性を与えるためのスポンジ体を貼着し、第２装着面には、拭布に係止する複数の固定用突起と、拭布の一部を挿入して固定するための複数の鰐口とを設けているので、上記２つの装着面を厚さの異なる拭布に応じて良好に使い分けることができるだけでなく、どちらの装着面に装着する拭布も上記第２装着面だけに集中的に設けた突起と鰐口とを利用して確実に固定することができ、この結果、１つで厚さの異なる拭布に使用することが可能な経済的で機能性に勝れたフローリングワイパーを得ることができる。
【発明を実施するための最良の形態】
【００１１】
図１〜図４は本発明に係る反転式フローリングワイパーの好ましい代表的な実施形態を示すもので、図１及び図２にはワイパー本体１が示され、図３及び図４には、このワイパー本体１に厚さの異なる第１拭布１１と第２拭布１２とを選択的に装着して清掃する場合が示されている。
【００１２】
上記２種類の拭布のうち第１拭布１１は、例えば厚さが１〜３ｍｍ程度の薄いシート状（平布状）の拭布であり、また第２拭布１２は、例えば厚さが５〜１５ｍｍ程度の厚いパッド状の拭布であって、図６に示すように、その下面の外周部分には多数のモップ糸１２ｂが取り付けられ、上面にはループ状の繊維１２ａが設けられている。このループ状の繊維１２ａは、この第２拭布１２をパイル織りするか、あるいは、パイル織りした布地を上面に積層するなどの方法によって形成することができる。また、上記第１拭布１１及び第２拭布１２は、繊維径が１０μｍよりやや大きい極細繊維や、９μｍ以下の超極細繊維等で形成されていることが望ましい。
【００１３】
上記ワイパー本体１は、上記拭布１１，１２を装着するための矩形盤状をしたワイパーヘッド３と、該ワイパーヘッド３に起倒自在に連結された柄４とからなっている。
上記ワイパーヘッド３は、合成樹脂からなる横に細長い矩形の基板５を主材とし、この基板５の一方の面に、上記第１拭布１１を装着するための第１装着面６が形成され、反対側の面に、上記第２拭布１２を装着するための第２装着面７が形成されている。また、上記基板５の軸線方向（長手方向）の中央位置には、該基板５の上下両面に開放する取付溝８が、該基板５の幅方向の一端側から他端側に向けて中間位置まで形成され、この取付溝８内に上記柄４が、先端の取付部材９ａ，９ｂによって前後及び左右の両方向に起倒自在なるように連結されている。
【００１４】
上記取付部材は、上記ワイパーヘッド３側の第１部材９ａと柄４側の第２部材９ｂとに分かれていて、上記第１部材９ａが、上記取付溝８内において上記基板５に、該基板５の軸線方向を向く第１連結軸（図示せず）によって該連結軸の回りに回動自在に連結され、この第１部材９ａに上記第２部材９ｂが、上記第１連結軸と直交する別の第２連結軸によって該連結軸の回りに回動自在に連結されている。従って、上記柄４は、ワイパーヘッド３の前後及び左右の両方向に起倒自在となっていて、図１及び図２に示すように該ワイパーヘッド３の両面側、すなわち第１装着面６側と第２装着面７側の両方に回動させることができる。また、柄４を水平にしたとき該柄４がワイパーヘッド３の厚さの中に収まるように、該ワイパーヘッド３の厚さは柄４の直径と同等以上に形成されている。
【００１５】
上記ワイパーヘッド３の第１装着面６は、上記基板５の片面の上記取付溝８を除く部分に、クッション性を付与するためのスポンジ体１５を貼着することにより形成されたものである。このスポンジ体１５は、一定厚さのプレート状をなすもので、その外径寸法は基板５の外径寸法より僅かに大きく形成され、このスポンジ体１５が、基板５から周囲に僅かにはみ出した状態に取り付けられることにより、該スポンジ体１５全体に広がる平坦な上記第１装着面６が形成されている。そして、この第１装着面６に上述した薄肉の第１拭布１１が装着され、床面等の清掃が行われるが、上記スポンジ体１５の介在により適度のクッション性が付与されるため、良好な使用感をもって清掃を行うことができる。このとき、上記第１拭布１１の両端部は、反対側の第２装着面７側に折り曲げられ、この第２装着面７に形成されている係止用の鰐口１６に挿入、係止されることにより、この第１拭布１１が装着状態に固定されるようになっている。
【００１６】
一方、上記第２装着面７は、２つの凹部１９と、これらの凹部１９及び取付溝８を除く部分に列状に植設された多数の固定用突起２０と、これらの突起群の間に形成された複数の係止孔即ち上記鰐口１６とを有している。上記凹部１９は、上記取付溝８で区分された左右の基板部分に、それぞれ該基板５の幅方向の中間部に位置して該基板５の長手方向に延びるように形成され、この凹部１９を挟んで基板５の幅方向の前後相対する位置に、上記突起２０と上記鰐口１６とが形成されている。上記凹部１９は、基板５の肉抜きによる重量調整を主要な目的とするものであって、必要に応じて設けられるものであり、従ってその幅は任意であり、場合によっては設けられないこともある。また、この凹部１９の幅やその有無に応じて上記突起２０の列数は増減され、凹部１９がない場合には第２装着面７のほぼ全体にこの突起２０が形成されることになる。
【００１７】
上記固定用突起２０は、合成樹脂からなる細長い柱状をした突起で、上記基板５の表面に該基板５と一体に形成されている。この突起２０は、図５Ａ及び図５Ｂから分かるように、鈎形をした先端部２０ａを有しており、この鈎形の先端部２０ａが上記第２拭布１２の上面のループ状の繊維１２ａに係止するようになっている。この突起２０の大きさは、その高さが約２．５〜３ｍｍ程度、先端部２０ａの幅が約２ｍｍ程度であることが好ましいが、このような寸法に限定されないことは当然である。また、この突起２０の先端部２０ａは、図示したものにおいては、鈎状の爪２０ｂが突起の両側に突き出した形態をしているが、このようなものに限定されない。
【００１８】
また、上記鰐口１６は、基板５の薄肉化された部分に複数の切れ目１６ａを互いに交叉するように入れることにより形成したもので、これらの切れ目１６ａによって形成される先の尖った弾性係止片１６ｂに上記第１拭布１１を係止させて固定するものである。この鰐口１６は、上記基板５の長手方向両端部寄りの、幅方向に相対する位置に、それぞれ一対ずつで合計４つ形成されている。
【００１９】
上記構成を有するフローリングワイパーにおいて、厚さの薄い第１拭布１１を使用して清掃するときは、図３に示すように、ワイパーヘッド３の第１装着面６を下に向けてこの第１装着面６に上記第１拭布１１を装着し、その両端部を第２装着面７側に折り返して該第２装着面７に形成された鰐口１６に挿入することにより弾性係止片１６ｂに係止させて固定し、その状態で清掃を行う。このとき、上記第１拭布１１の両端部は、上記鰐口１６に係止するだけでなく、その回りにある上記突起２０にも係止するため、その固定は非常に確実なものとなる。そして、上記第１装着面６に取り付けられている上記スポンジ体１５の介在により適度のクッション性が付与されるため、良好な使用感をもって清掃を行うことができる。
【００２０】
サイドボードなどの家具の下や冷蔵庫の下などの狭い隙間を清掃する場合には、図３に鎖線で示すように、柄４を水平にしてワイパーヘッド３を上記隙間内に挿入する。この場合、ワイパーヘッド３の厚さが柄４の直径と同等かそれ以上に形成されているから、該柄４はワイパーヘッド３の厚さの中に完全に収まり、家具や冷蔵庫の底などにぶつかることがない。
【００２１】
なお、上記第１拭布１１が鰐口１６に挿入できない程度の厚さを有する場合には、この拭布がパイル織りなどによって表面にループ状の繊維を有するものである場合、この第１拭布１１を上記突起２０に係止させることによって固定することができる。従って第１装着面６に装着されるこの第１拭布１１は、上記鰐口１６のみによって固定されるものではなく、上記突起２０によっても固定することができるものである。換言すれば、この突起２０は、第２拭布１２の固定用としてのみ機能するものではなく、第１拭布１１の固定用としても機能するものである。
【００２２】
また、厚さの厚い第２拭布１２を使用して清掃するときは、図４に示すように、上記ワイパーヘッド３を上下反転させ、第２装着面７を下に向けてこの第２装着面７に上記第２拭布１２を装着し、固定する。その固定は、この第２拭布１２の上面を上記第２装着面７の突起２０に押し付け、ループ状の繊維１２ａを各突起２０の鈎形の先端部２０ａに係止させることにより行う。この突起２０との係止によって第２拭布１２は上記第２装着面７に確実に固定されるから、支障なく清掃を行うことができる。また、家具の下や冷蔵庫の下などの狭い隙間を清掃する場合には、図４に鎖線で示すように、柄４を水平にしてワイパーヘッド３を上記隙間内に挿入することもできる。
【００２３】
かくして上記フローリングワイパーは、ワイパーヘッド３の第１装着面６にクッション性を与えるためのスポンジ体１５を貼着し、第２装着面７には、拭布に係止する複数の固定用突起２０と、拭布の一部を挿入して固定するための複数の鰐口１６とを設けているので、上記２つの装着面６，７を厚さの異なる拭布に応じて良好に使い分けることができるだけでなく、どちらの装着面６，７に装着する拭布１１，１２も、上記第２装着面７側だけに集中的に設けた上記鰐口１６と突起２０とを利用して確実に固定することができ、この結果、１つで厚さの異なる拭布に使用することが可能な経済的で機能性に勝れたフローリングワイパーを得ることができる。しかも、厚さの厚い第２拭布１２を固定するため開閉式のクリップのような特殊な構造の固定手段を設ける必要がないため、ワイパーヘッド３の構造が非常に簡単かつ合理的なものとなってその成形を容易に行うことができる。
【００２４】
なお、上記実施例では、各突起２０が基板５と一体に形成されているが、これらの突起２０は、基板５とは別に形成して該基板に取り付けることもできる。例えば、面ファスナーを構成する輪奈側部材と係止側部材のうち、この係止側部材を上記基板の第２装着面の必要な部分に貼着し、この係止側部材に形成されている多数の鈎形線条を上記突起２０として使用することもできる。
【図面の簡単な説明】
【００２５】
【図１】本発明に係るフローリングワイパーのワイパーヘッドに拭布を装着しない状態で、その第１装着面を下に向けた場合の斜視図である。
【図２】図１のフローリングワイパーのワイパーヘッドを上下反転させ、第２装着面を下に向けた場合の斜視図である。
【図３】図１のフローリングワイパーに第１拭布を装着した状態を示す要部側面図である。
【図４】図２のフローリングワイパーに第２拭布を装着した状態を示す要部側面図である。
【図５】Ａは突起の拡大正面図、Ｂは同側面図である。
【図６】第２拭布の図２のフローリングワイパーに第２拭布を装着した状態を示す要部側面図である。
【符号の説明】
【００２６】
３      ワイパーヘッド
４      柄
６      第１装着面
７      第２装着面
８      取付溝
１１      第１拭布
１２      第２拭布
１２ａ      ループ状の繊維
１２ｂ      モップ糸
１５      スポンジ体
１６      鰐口
２０      固定用突起
２０ａ      先端部
【図１】
2005287698.tif 000003
【図２】
2005287698.tif 000004
【図３】
2005287698.tif 000005
【図４】
2005287698.tif 000006
【図５】
2005287698.tif 000007
【図６】
2005287698.tif 000008